(57)【要約】【課題】携帯性や装着時の美観を阻害されない簡素さを保ちつつ、適度なサポーター効果と所望する部位への適切なマッサージ効果が得られる指圧バンドを提供すること。【解決手段】少なくとも長手方向に伸縮性を有する帯部材１０と、着脱可能な押圧部材２０とを有する指圧バンド１は、帯部材の使用時に外部に位置する面１０Ｔの表面がパイル地からなり、使用時に内部に位置する面１０Ｂの長手の一方端には前記パイル地に固定可能な掛止部１１が設けられ、かつ帯部材１０の使用時に内部に位置する面１０Ｂには、押圧部材２０を挿入可能なポケット部１２が設けられている。押圧部材２０は、弾性の異なる複数の素材を積層して構成しうる。【選択図】図１
0003204684.tif 000002
【実用新案登録請求の範囲】
【請求項１】
少なくとも長手方向に伸縮性を有する帯部材と、前記帯部材に着脱可能に固定される押圧部材とを有する指圧バンドであって、
前記帯部材の使用時に外部に位置する面は表面がパイル地からなり、
前記帯部材の使用時に内部に位置する面の長手の一方端には前記パイル地に固定可能な掛止部が設けられ、
かつ前記帯部材の使用時に内部に位置する面には、前記押圧部材を挿入可能なポケット部が設けられており、前記押圧部材は前記ポケット部の内側で固定されることを特徴とする、指圧バンド。
【請求項２】
前記押圧部材が、弾性の異なる複数の素材が積層されてなることを特徴とする、請求項１記載の指圧バンド。
【請求項３】
前記弾性の異なる複数の素材として、硬質コルク及びポリエチレンフォームを用いたことを特徴とする、請求項２に記載の指圧バンド。
【考案の詳細な説明】
【技術分野】
【０００１】
本考案は、膝関節回りの筋肉の緊張緩和と血行促進を促し、慢性的な膝痛を軽減し、また膝の故障や痛みを予防する指圧バンドに関する。
【背景技術】
【０００２】
膝痛に悩まされている人は多く、厚生労働省の統計調査によれば、わが国において膝痛の自覚症状のある人は約１，０００万人とも言われている。高齢化の進展によりその数は更に増加することが懸念される。
【０００３】
膝痛の主な原因は、スポーツや経常的な労働による膝の酷使、けがや加齢による筋肉バランスの変化や体重増による膝への負担増、運動不足や加齢による筋肉の衰えなど患者によってさまざまである。こうした原因により、膝の衝撃を吸収するクッション材の役割を果たすはずの軟骨がすり減ることによる関節痛、痛む膝をかばうために周囲の筋肉が緊張し続けることによる筋肉痛、そしてこれら関節痛や筋肉痛に伴い血行不良が引き起こされる。
【０００４】
関節痛、筋肉痛及びこれによって引き起こされる血行不良を解消するためには、外側広筋もしくは内側広筋の、膝蓋骨に程近い部位の緊張をほぐすよう、適度な運動やマッサージ等で緩やかな刺激を与えることが望ましい。しかし既に膝痛を抱える患者にとっては、動かしたほうが良いとわかっていても痛みのために動かすことができないことがままある。そこで装具により膝痛の予防ないし緩和を行うことがある。
【０００５】
膝痛の予防ないし緩和のために、種々の装具が提案されてきている。特許文献１には伸縮可能な単体からなるバンドを膝の上部と下部に連続して包着可能に適した帯状の長さとして、膝の上下の筋肉や靱帯、骨等をサポートしつつ膝裏のツボ部分で交差させて加圧可能とした伸縮バンドが提案されている。このバンドでは筋肉や靱帯、骨等をサポートすることは可能であるが、筋肉をほぐしたり血行促進を促すことはできなかった。
【０００６】
特許文献２ではサポーター内にポケットを設け、その中に磁石を入れることにより患部の保温・保護に加えて磁気作用及び指圧効果を相乗したツボ刺激で血行促進を図ることを主眼としたつぼおしサポーターが提案されている。しかしこのサポーターではポケットに挿入する素材の硬度が一定でありかつ、つぼおし効果のある部位を適切に所望の位置に固定することが困難であった。
特許文献３では、略三角形状に形成された押圧板の下の一角付近より設けられた下の帯体が膝の裏を回って中間部の一角付近に至っており、上の一角付近より設けられた上の帯体が膝の裏を回って中間部の一角付近に至っていることを特徴とする膝用サポーターが提案されている。このサポーターでは、屈伸しても位置ずれすることなく、痛みの軽減効果の高い位置において、指圧作用、押圧作用を実現している。しかし複雑な構造を余儀なくされている本サポーターは携帯性に難があり、またいかにも装具という外観を呈しているため装着者の美観を損なうという欠点があった。
【０００７】
特許文献４では、人体に指圧磁極を加える多数の突起が備えられた指圧具を伸縮性バンドに選択的に付けたり外すことができるように上記指圧具を前面に網紗を備え後面に露出されるフックを備えたベルクロ（登録商標）を接合してなるポケットに収容し、上記バンドにフックを備えたベルクロに対応するループを備えたベルクロを広範囲に配置して各ベルクロの相互作用により分離可能に付着された構成を特徴とする圧迫バンド用指圧具が提案されている。しかしこの指圧具では、バンドとの関係において指圧具はベルクロにより固定されることになるが、複雑な凹凸形状を有している膝蓋骨近傍において適切に押圧付加すべき部位に指圧具を固定することは困難であった。
【先行技術文献】
【特許文献】
【０００８】
【特許文献１】実用新案登録第３０７８５９８号公報
【特許文献２】特開２００５−０９５４９８号公報
【特許文献３】特許第４３３９９１８号公報
【特許文献４】特開２０１５−１５０４１８号公報
【考案の概要】
【考案が解決しようとする課題】
【０００９】
そこで本考案では、携帯性や装着時の美観を阻害されない簡素さを保ちつつ、適度なサポーター効果と所望する部位への適切なマッサージ効果が得られる指圧バンドを提供することを課題とする。
【課題を解決するための手段】
【００１０】
上記課題を解決すべく、本考案にかかる指圧バンドは以下の構成を有する。
【００１１】
（１）少なくとも長手方向に伸縮性を有する帯部材と、前記帯部材に着脱可能な押圧部材とを有する指圧バンドであって、前記帯部材の使用時に外部に位置する面は表面がパイル地からなり、
前記帯部材の使用時に内部に位置する面の長手の一方端には前記パイル地に固定可能な掛止部が設けられ、かつ前記帯部材の使用時に内部に位置する面には、前記押圧部材を挿入可能なポケット部が設けられていることを特徴とする、指圧バンド（請求項１）。
【００１２】
（２）なお、前記押圧部材は、弾性の異なる複数の素材が積層して構成することもできる（請求項２）。弾性の異なる複数の素材として任意の素材を採用し得るが、とりわけ硬質コルク及びポリエチレンフォームを用いることにより、硬軟両面を使用者の状況に応じて膝部に当てるよう調整することができる（請求項３）。なお本考案における「硬質コルク」は天然コルクに限られず、コルク屑を圧縮してなる圧縮コルクやプラスチックの合成素材から成型される合成コルクであっても良い。
【考案の効果】
【００１３】
本考案にかかる指圧バンドによれば、痛点に押圧部材が入ったポケット部をあて、そのままバンドを巻き付けることにより指圧効果及びサポーター効果が得られる。また装着したまま動いても伸縮性のあるバンドにより適度に身体に絞めつけられているから、痛点に当てた押圧部材がずれることはなく、また例えば膝蓋骨近傍に当てた場合膝関節の曲げ伸ばしにより痛点に加わる押圧が変動し、結果として押圧部材によるマッサージ効果が得られる。ここで「サポーター効果」とは、筋肉を固定することにより揺れや振動を緩和することにより疲労を軽減するという物理的効果、及び適度な締め付けにより安心して膝関節を動かすことができるという心理的効果の双方を意味する。また「マッサージ効果」とは、押圧により筋肉のこわばりを緩和し、血行を促進することで膝痛の発症を防止する作用を意味する。
【００１４】
また押圧部材に弾性の異なる複数の素材を積層していることにより、いずれの面を膝部に当てるかにより得られるマッサージの感触が異なる。そのため使用者の状況に応じて硬軟いずれかを選択することができ、より心地よいマッサージ効果を得ることができる。なお押圧部材はポケット部に挿入するだけなので極めて取り扱いが容易であるばかりか、ポケット部により堅固に保持されることからマッサージを施したい部位とのずれを起こしにくい。
【図面の簡単な説明】
【００１５】
【図１】本考案にかかる指圧バンド１の（ａ）表面を示した図、（ｂ）裏面を示した図である。
【図２】本考案にかかる押圧部材２０の（ａ）正面図、（ｂ）平面図である。
【図３】本考案にかかる指圧バンド１を使用した状態の斜視図である。
【図４】膝周辺の筋肉の構造と痛点Ｐ（ＡＰ１、ＡＰ２）を示すための参考図である。
【考案を実施するための形態】
【００１６】
以下、本考案にかかる指圧バンドの具体的な使用法につき、図面を参照しつつ説明する。図１（ａ）は、本考案にかかる指圧バンド１の表面、すなわち脚の膝近傍に巻き付ける際に身体に当接する内側を示した図であり、（ｂ）は裏面、すなわち巻き付ける際に外側に位置する面を示した図である。図示するように、指圧バンド１は帯部材１０と、これと着脱可能な押圧部材２０とからなる。
【００１７】
帯部材１０は、幅５０ｍｍ、長さ５００ｍｍのコンパクトな作りであり、長手方向の一方端には掛止部としての面ファスナー１１が固着されている。帯部材１０は、後述するように膝蓋骨のやや上部部分に巻き付けるように装着する。装着時に外部に位置する面１０Ｔはパイル地で構成されており、面ファスナー１１と係合して固定することができる。このように、面ファスナー１１は帯部材１０の外部に位置する面１０Ｔに固定可能な掛止部としての役割を果たす。
【００１８】
帯部材１０の内部に位置する面はゴム地であり、長手方向に対する伸縮性を有している。したがって、脚Ｌに巻き付ける際には伸展させた状態で係合することで身体に固定することができる。また伸展する強さを変えることにより所望の強さで身体に固定することができるとともに、押圧部材２０による押圧の度合も調整することができる。
【００１９】
帯部材１０の内側に位置する面にはポケット部１２が設けられている。ポケット部１２は、ここでは帯部材１０の長手方向に垂直方向に開口部が設けられており、この開口部から押圧部材２０を出し入れすることができる。ポケット部１２の深さは６０ｍｍで構成されている。ポケットにはまちを持たせず押圧部材２０がポケット内部で揺動しない程度の容量としている。
【００２０】
ここで図２を用いて、押圧部材２０の構造の説明をする。図２（ａ）は押圧部材２０の正面図であり、図２（ｂ）はその平面図である。押圧部材２０はここでは、タテ４５ｍｍ、横２０ｍｍ、高さ１０ｍｍの直方体の、平面図視した長方形の各角を面取りした形状を有している。高さ方向にそれぞれ７ｍｍの軟性部材２０ａ、３ｍｍの剛性部材２０ｂを貼り合わせて固着している。軟性部材２０ａはポリエチレンフォーム、剛性部材２０ｂは硬質コルク素材で構成されている。使用者は自らの痛みの状況に応じて、軟性部材２０ａが痛点にあたるようにしてもよく、剛性部材２０ｂが痛点にあたるようにしてもよい。このように各々の使用者の状況に応じて刺激の程度を変えるにあたって、ポケット部１２への押圧部材２０の挿入の向きを変えるだけで実現可能となっている。
【００２１】
図３は、指圧バンド１を脚Ｌに装着した状態を示した図である。以下装着方法にも言及しつつ説明する。
【００２２】
装着にあたってはまず、椅子等に座った状態（膝を曲げている状態）で「痛点」の探索を行う。ここで「痛点」とは、刺激を与えない状態で痛みを感じる部位ではなく、指等で押圧して痛みを感じる部分をいう。筋肉のこわばりによる痛みの場合、図４に示す筋肉の大腿四頭筋（外側広筋４１、内側広筋４２、大腿直筋４３、及び中間広筋（大腿直近４３の裏に位置する））のうち、外側広筋４１或いは内側広筋４２の始点（図４におけるＡＰ１、ＡＰ２）に痛みを感じることが多い。傾向としてＯ脚の人は内側広筋の始点に、Ｘ脚の人は外側広筋の始点に痛みを感じがちである。もっとも「痛点」は人それぞれで異なることから、自ら（或いは介助者が装着する場合は介助者が）触診することにより「痛点」を特定する。
【００２３】
「痛点」を特定したら（以下「痛点Ｐ」を表記する。）、痛点Ｐに対して、押圧部材２０を内包させたポケット部１２を当て、帯状部１０を脚の周囲に引っ張りながら巻き付け、面ファスナー（掛止部）１１をパイル地１０Ｔに貼着することで固定する。帯状部１０の弾性により帯状部１０が脚Ｌを適度に締め付けることにより、押圧部材２０の痛点Ｐへの接触があたかも親指の指圧のような刺激となる。使用者は装着したまま日常の動作を行うことができる。これにより痛点Ｐには程よい刺激が与えられ、マッサージ同様の効果が得られる。また筋肉の始点部分に対する緩やかな締め付けは筋肉を固定し、余計な筋肉の動作や振動を減らし疲労を軽減する機能も発揮することから、サポーター同様の効果も期待できる。
【産業上の利用可能性】
【００２４】
このように本考案に係る指圧バンドは、使用者自身が自らの痛点を探索した上で装着することができ、また装着したまま日常生活を営むことができる。このため膝を痛めている人であっても筋肉のこわばりを取り除くことができ、また適度な締め付けにより安心して膝を可動させることができる。また患部の状況に合わせて押圧部材の表裏を入れ替えることにより所望の硬さでのマッサージ効果を得られることができるから、幅広い人に使用してもらうことができる。
【００２５】
なお、上記実施例にて述べた押圧バンドは本考案を具体的に実現した一例であり、サイズ、ポケットの開口部の向きなどは記載のものに限られない。また伸縮性の向きも長手方向に平行な１方向のみである必要はなく、縦横に伸縮性を有していてもよい。或いは掛止部を面ファスナー１１にて実現したがこれに限られず、例えばフック部材やピン止め部材であっても良い。
【符号の説明】
【００２６】
１      指圧バンド
１０    帯部材
１０Ｔ  外部に位置する面（パイル地）
１０Ｂ  内部に位置する面（ゴム地）
１１    面ファスナー（掛止部）
１２    ポケット部
２０    押圧部材
２０ａ  軟性部材
２０ｂ  剛性部材
Ｌ      脚
Ｐ      痛点
【図１】
0003204684.tif 000003
【図２】
0003204684.tif 000004
【図３】
0003204684.tif 000005
【図４】
0003204684.tif 000006